(57)【特許請求の範囲】
【請求項１】
複数のラックからなるラック列を対向配置することにより、もしくは、複数のラックからなるラック列を壁面と対向配置することにより、該ラック列の前面側または後面側に形成された通路の、正面側もしくは背面側の少なくとも何れかに、該通路の出入口となる扉部を設け、該扉部を、扉板と、該扉板をスライド可能に吊下げ支持するレール部材とから構成したラック列の通路遮へい構造において、
前記レール部材を前記ラックの上端に角度調整可能に固定する取付金具を、該レール部材の裏面に当接する位置に備え、この取付金具によって前記レール部材を、前記ラック列を構成する複数のラックの内、前記扉部に隣接配置されたラックの上端に、傾斜させて固定するとともに、
該レール部材に固定されて、このレール部材を前記通路の外部から視認不能に被覆するカバー部材を備え、該カバー部材は、前記レール部材に対する該カバー部材の取付角度を調整可能とする取付角度調整手段を備えることを特徴とするラック列の通路遮へい構造。
【請求項２】
前記カバー部材は、前記レール部材に取付けた状態において、前記レール部材の裏面に当接する固定片を有することを特徴とする請求項１記載のラック列の通路遮へい構造。
【請求項３】
該固定片に、前記取付角度調整手段として、長孔状の固定孔を形成したことを特徴とする請求項２記載のラック列の通路遮へい構造。
【請求項４】
前記レール部材を前記ラックの上端に固定する取付金具を、該レール部材の裏面に当接する位置に備え、
該取付金具には、該取付金具に対する該レール部材の取付角度を調整可能とする長孔状の取付孔を形成したことを特徴とする請求項２または請求項３何れかに記載のラック列の通路遮へい構造。
【請求項５】
前記通路が、複数のラックからなるラック列を対向配置して形成した通路であって、
前記扉部を、左右２枚の扉板と、それぞれの扉板を、各々、スライド可能に吊下げ支持する２本のレール部材とから構成し、
該レール部材を、各々、前記ラック列を構成する複数のラックの内、前記扉部に隣接配置されたラックの上端に、前記通路の中央方向に向かって傾斜させて固定したことを特徴とする請求項１記載のラック列の通路遮へい構造。
【発明の詳細な説明】
【技術分野】
【０００１】
本発明は、複数のラックをラック列として配置し、このラック列の前面側または後面側に形成される通路を閉空間とするための扉部を備えた、ラック列の通路遮へい構造に関するものである。
【背景技術】
【０００２】
ラック内に設けられたサーバ等の内部機器を冷却する技術として、特許文献１に示すように、複数のラックをラック列として、その前面側に備えた冷却空気吸入口を向い合せて２列に配置し、このラック列の間に形成される通路の上部に天井部を設け、通路の正面側及び背面側には扉部や壁を設けることにより、この通路を閉空間とし、さらに床下から冷却用空気を供給する構造がある。また、前記通路の少なくとも正面側を扉部として構成し、内部のラックへアクセス可能とする構造が一般的である。なお、この扉部は、左右２枚の扉板と、それぞれの扉板を、各々スライド可能に吊下げ支持する２本のレール部材とから構成されたものである。
【０００３】
前記の構造においては、内部のラックへアクセスした際に扉板が開状態のままであると、内部機器の冷却効率が低下するため、扉板が自動で閉状態となるよう、図１０のようにレール部材１０１を通路の中央方向に向かって傾斜させた構造としている。しかし、レール部材１０１が傾斜していることにより、ラック列の通路遮へい構造を外側正面側から見ると、景観が悪く、またレール部材１０１の経年劣化による傾斜と誤認してしまうという問題がある。
【先行技術文献】
【特許文献】
【０００４】
【特許文献１】特開２０１０−１６８７６９号公報
【発明の概要】
【発明が解決しようとする課題】
【０００５】
本発明の目的は前記した従来の問題点を解決し、外側正面側から見た際の景観を良好としたラック列の通路遮へい構造を提供することである。
【課題を解決するための手段】
【０００６】
上記課題を解決するためになされた本発明は、複数のラックからなるラック列を対向配置することにより、もしくは、複数のラックからなるラック列を壁面と対向配置することにより、該ラック列の前面側または後面側に形成された通路の、正面側もしくは背面側の少なくとも何れかに、該通路の出入口となる扉部を設け、該扉部を、扉板と、該扉板をスライド可能に吊下げ支持するレール部材とから構成したラック列の通路遮へい構造において、前記レール部材を前記ラックの上端に角度調整可能に固定する取付金具を、該レール部材の裏面に当接する位置に備え、この取付金具によって前記レール部材を、前記ラック列を構成する複数のラックの内、前記扉部に隣接配置されたラックの上端に、傾斜させて固定するとともに、該レール部材に固定されて、このレール部材を前記通路の外部から視認不能に被覆するカバー部材を備え、該カバー部材は、前記レール部材に対する該カバー部材の取付角度を調整可能とする取付角度調整手段を備えることを特徴とするものである。
【０００７】
請求項２記載の発明は、請求項１記載のラック列の通路遮へい構造において、前記カバー部材は、前記レール部材に取付けた状態において、前記レール部材の裏面に当接する固定片を有したことを特徴とするものである。請求項３記載の発明は、該固定片に、前記取付角度調整手段として、長孔状の固定孔を形成したことを特徴とするものである。
【０００８】
請求項４記載の発明は、請求項２または請求項３何れかに記載のラック列の通路遮へい構造において、前記レール部材を前記ラックの上端に固定する取付金具を、該レール部材の裏面に当接する位置に備え、該取付金具には、該取付金具に対する該レール部材の取付角度を調整可能とする長孔状の取付孔を形成したことを特徴とするものである。
【０００９】
請求項５記載の発明は、請求項１記載のラック列の通路遮へい構造において、前記通路が、複数のラックからなるラック列を対向配置して形成した通路であって、前記扉部を、左右２枚の扉板と、それぞれの扉板を、各々、スライド可能に吊下げ支持する２本のレール部材とから構成し、該レール部材を、各々、前記ラック列を構成する複数のラックの内、前記扉部に隣接配置されたラックの上端に、前記通路の中央方向に向かって傾斜させて固定したことを特徴とするものである。
【発明の効果】
【００１０】
本発明に係るラック列の通路遮へい構造は、レール部材を、ラック列を構成する複数のラックの内、扉部に隣接配置されたラックの上端に、角度調整可能に傾斜させて固定するものとした。さらに、このレール部材に固定されて、レール部材を通路の外部から視認不能に被覆するカバー部材には、レール部材に対するカバー部材の取付角度を調整可能とする取付角度調整手段を備えるものとした。これにより、カバー部材を床面に対して平行となるように取付けることが可能となり、ラック列の通路遮へい構造を外側正面側から見た際の景観を良好とすることができる。
【００１１】
請求項２に係る発明によれば、カバー部材は、レール部材に取付けた状態において、レール部材の裏面に当接する固定片を有し、また、請求項３に係る発明によれば、この固定片に、取付角度調整手段として、長孔状の固定孔を形成した。これにより、カバー部材の取付角度の調整が容易に行えると同時に、固定孔や固定ネジが正面側に露出しないため、ラック列の通路遮へい構造を外側正面側から見た際の景観を良好とすることができる。
【００１２】
請求項４に係る発明によれば、レール部材をラックの上端に固定する取付金具を、レール部材の裏面に当接する位置に備え、この取付金具には、取付金具に対するレール部材の取付角度を調整可能とする長孔状の取付孔を形成した。これにより、レール部材の取付角度の調整が容易に行えると同時に、取付孔や取付ネジが正面側に露出しないため、ラック列の通路遮へい構造を外側正面側から見た際の景観を良好とすることができる。
【図面の簡単な説明】
【００１３】
【図１】本実施形態を示す斜視図である。
【図２】本実施形態の扉部の裏面を示す分解斜視図である。
【図３】本実施形態の扉部の裏面を示す斜視図である。
【図４】本実施形態の扉部の裏面を示す正面図である。
【図５】図４中のＡ箇所を示す拡大図である。
【図６】図４中のＢ箇所を示す拡大図である。
【図７】図４中のＣ箇所を示す拡大図である。
【図８】本実施形態の扉部の要部を示す断面図である。
【図９】本実施形態のレール部材を示す断面斜視図である。
【図１０】従来のラック列の通路遮へい構造を示す正面図である。
【発明を実施するための形態】
【００１４】
以下に本発明の好ましい実施形態を示す。
図１のように、複数のラック１を隣接配置してなるラック列が、２列に、ラック前面側を向き合わせて配置されており、このラック列の間に形成される通路には、床部と天井部２とを設け、さらに通路の正面側及び背面側には扉部３を設けることにより、通路を閉空間とするラック列の通路遮へい構造が形成されている。なお、通路の背面側は、扉部３を設けずに背面部とすることもできる。従来と同様に、通路には床下から冷却用空気が供給されており、ラック１は通路に面するラック前面側から冷却用空気を吸引してサーバ等の内部機器を冷却し、ラック後面側から排熱する構造である。なお、通路を排熱通路とし、ラック１の向きを本実施形態と逆方向とし、閉空間に暖められた空気を排出するとともに、冷気を閉空間の外部から吸気する構造としても良い。この場合は、閉空間の排熱は天井部に設けたダクトにより外部に排出するか、もしくはラック列を形成するラック間に冷却装置を設け、閉空間の空気を冷却して外部に排出するものとする。
【００１５】
図２のように、扉部３は、ラック列を構成する複数のラック１の内、扉部３に隣接配置されたラック（以後ラック列端部１ａ）の上端に固定されたレール部材４から、左右２枚の扉板５をそれぞれスライド可能に吊下げ支持した吊下げスライド式の扉である。さらに図２及び図３のように、２本のレール部材４をそれぞれ通路の外部から視認不能に被覆するカバー部材６と、レール部材４をラック列端部１ａの上端に固定する取付金具７とを備えるものである。扉板５は、図１のように扉パネルとその外枠を形成する外枠フレーム８とからなる。扉パネルは透明アクリル板やアルミニウム板等で構成され、外枠フレーム８の上部には図８のように、固定部材９が左右に２つ、ネジ止めにより固定されている。また、この固定部材９には支持部材１０を介してローラを備えた走行部材１１が固定されている。この走行部材１１がレール部材４の内部に位置することにより、扉板５がレール部材４に対してスライド可能となっている。なお、レール部材４は、１本のレールにより構成しても良いが、本実施形態では図２のように左右２本のレール部材４の中央部を、ゴム等からなる緩衝部材１２を介して接続し、この緩衝部材１２を覆い部１３により被覆し、左右２本のレール部材４の中央部を遮蔽するものとした。また、本実施形態は通路の左右両側に扉板５を形成するものとしたが、例えばラック列の前面側を壁面と対向配置し、ラック列の前面側に形成される通路を閉空間とするよう、一枚の扉板５を備えたラック列の通路遮へい構造としても良い。
【００１６】
前述の通り、レール部材４は、正面側及び背面側のラック列端部１ａの上端に、ラック前面側とラック後面側とにそれぞれ設けた取付金具７によって取付けられる。このとき、図４のように、レール部材４は、通路の中央方向に向かって傾斜するように固定される。これによって、扉板５を開状態とした後には、自重によって自動的に閉状態となる。
【００１７】
このときレール部材４は傾斜しており景観が悪いため、この問題を回避するためにレール部材４を通路の外部から視認不能に被覆するカバー部材６が取付けられる。カバー部材６は、図４乃至図６のようにレール部材４に対する取付角度を変更することができる取付角度変更手段を備えることにより、カバー部材６を床面に対して平行となるように取付けることができ、ラック列の通路遮へい構造を外側正面側から見た際の景観を良好とすることができるものとした。詳しくは、図８のようにカバー部材６を、ラック列の通路遮へい構造の外側正面側の正面板１４と、正面板１４の上端部を略９０度折り曲げて形成した折り曲げ片１５と、折り曲げ片１５の端部を正面板１４と平行に略９０度折り曲げて形成した固定片１６とにより構成した。加えて、図２のように、固定片１６には取付角度変更手段として長孔状の固定孔１７を形成するものとした。さらに、レール部材４の裏面には、図９のように溝部１８が長手方向に亘って形成されており、この溝部１８にナットを入れてまたはボルトを突出させて固定片１６にボルトまたはナットにより固定する、または固定ネジ１９により溝部１８をネジ切ることにより、固定片１６をレール部材４の裏面に当接させて固定することができるものとした。このように固定孔１７を長孔状とすることにより、カバー部材６の取付角度の調整が容易に行えると同時に、レール部材４の裏面に固定片１６を当接させて固定することにより、固定孔１７や固定ネジ１９が正面側に露出しないため、ラック列の通路遮へい構造を外側正面側から見た際の景観を良好とすることができる。
【００１８】
なお、本実施形態では、図２のように、固定片１６を複数形成するものとしたが、カバー部材６の長手方向に亘って形成しても良く、また固定孔１７は少なくとも２つ、ラック列端部１ａのラック前面側とラック後面側とに形成される必要がある。また本実施形態においては、図９のように、溝部１８をレール部材４の長手方向に亘って形成することで、カバー部材６を上下方向に移動させた際に、カバー部材６がラック前後面側の方向に多少移動しても、長孔状の固定孔１７及び溝部１８が各々交差するように形成したので、微調整が可能となるものとした。
【００１９】
取付金具７には、図４及び図７のように長孔状の取付孔２０が形成されている。またレール部材４の裏面には、図９のように取付金具固定孔２１が形成されており、これにより取付金具７をレール部材４の裏面に当接する位置に、取付ネジ２２によって固定することができるものとした。このように取付孔２０を長孔状とすることにより、取付金具７に対するレール部材４の取付角度の調整が容易に行えるため、レール部材４を通路の中央方向に向かって傾斜させて固定する際の作業性が向上すると同時に、レール部材４の裏面に当接する位置に取付金具７を固定することにより、取付孔２０や取付ネジ２２が正面側に露出しないため、ラック列の通路遮へい構造を外側正面側から見た際の景観を良好とすることができる。
【００２０】
扉部３の下部には、Ｌ字状の板部材の先端に円柱状のガイド突起が上向きに形成されたガイド部材２３が設けられている。このガイド部材２３は、例えば特許文献１に示すようなものであり、扉板５を確実に垂下した状態でスライドさせることができるものであれば良い。
【符号の説明】
【００２１】
１  ラック
１ａ  ラック列端部
２  天井部
３  扉部
４  レール部材
５  扉板
６  カバー部材
７  取付金具
８  外枠フレーム
９  固定部材
１０  支持部材
１１  走行部材
１２  緩衝部材
１３  覆い部
１４  正面板
１５  折り曲げ片
１６  固定片
１７  固定孔
１８  溝部
１９  固定ネジ
２０  取付孔
２１  取付金具固定孔
２２  取付ネジ
２３  ガイド部材
１０１  レール部材
【図１】
0006478529.tif 000002
【図２】
0006478529.tif 000003
【図３】
0006478529.tif 000004
【図４】
0006478529.tif 000005
【図５】
0006478529.tif 000006
【図６】
0006478529.tif 000007
【図７】
0006478529.tif 000008
【図８】
0006478529.tif 000009
【図９】
0006478529.tif 000010
【図１０】
0006478529.tif 000011